(57)【要約】【課題】脈動の低減とともに透過音に対しても有効に低減することができるようにしたフューエルデリバリパイプを提供する。【解決手段】燃料供給系から燃料供給管１２を通して本体部１０内に圧送される燃料をインジェクタに分配供給するフューエルデリバリパイプにおいて、燃料供給管１２をフューエルデリバリパイプの本体部１０の手前で複数の分岐管路２１ａ、２１ｂに分岐させる。【選択図】　図１
2004144004.tif 000002
【特許請求の範囲】
【請求項１】
燃料供給系から燃料供給管を通して本体部内に圧送される燃料をインジェクタに分配供給するフューエルデリバリパイプにおいて、
フューエルデリバリパイプの本体部の手前で前記燃料供給管を複数の分岐管に分岐させたことを特徴とするフューエルデリバリパイプ。
【請求項２】
前記燃料供給管は、フューエルデリバリパイプの前記本体部の直前位置に配置される継手を介して２本の分岐管に分岐し、前記本体部の異なる面にそれぞれ供給口を有することを特徴とする請求項１に記載のフューエルデリバリパイプ。
【請求項３】
前記分岐管の一つは、フューエルデリバリパイプの本体部を構成する面のうちでもっとも広い面積をもつ面に供給口を有することを特徴とする請求項１に記載のフューエルデリバリパイプ。
【発明の詳細な説明】
【０００１】
【発明の属する技術分野】
本発明は、自動車の燃料供給系に使用されるフューエルデリバリパイプに関する。
【０００２】
【従来の技術】
自動車のエンジンに燃料を供給する燃料供給系では、ポンプから燃料供給管を通して燃料をフューエルデリバリパイプに送り、このフューエルデリバリパイプに取り付けられているインジェクタに燃料を分配してエンジンの吸気マニホールドに噴射している。
【０００３】
そこで、図５に従来のフューエルデリバリパイプを示す。この図５に示すフューエルデリバリパイプの本体部１０は、板金をプレス加工してそれぞれ成形したアッパーケース１０ａとロアーケース１０ｂの二つのケースからなり、ロアーケース１０ｂにアッパーケース１０ａを組み合わせてから、重なり部分をロー付けすることにより、両者を一体に接合したものである。インジェクタ取付用のカップ１７はロアーケース１０ｂの下面に取り付けられている。燃料をフューエルデリバリパイプに導入する燃料供給管１２の末端は、アッパーケース１０ａの上面中央部に接続されている。
【０００４】
また、燃料供給管１２がレイアウト上の制約を受ける場合には、図６に示すように、燃料供給管１２の末端は、ロアーケース１０ｂの側面に接続されることがある。
【０００５】
フューエルデリバリパイプにあっては、インジェクタの燃料噴射動作に伴う燃料の脈動や、フューエルデリバリパイプを透過する音が常に問題となっている。従来、振動や透過音を抑制するために、フューエルデリバリパイプに外付けのダンパーを用いることが主として行われていたが、近年では、フューエルデリバリパイプの内部にダンパー手段を内蔵させたり、フューエルデリバリパイプそれ自体の立体形状を利用することで吸収しようとするのが技術的趨勢である。
【０００６】
【発明が解決しようとする課題】
しかしながら、脈動や透過音の抑制作用をフューエルデリバリパイプの本体それ自体に付加するためには、フューエルデリバリパイプ本体が圧力変動とともに変形して振動や音を吸収し易い形状であることが有利であるが、フューエルデリバリパイプ本体の剛性の確保との兼ね合いが微妙で難しく、脈動の低減効果がある場合は透過音の低減効果が不十分であったり、また、その逆であったりと、振動・透過音の十分な低減性能を両立させることは難しいのが現状である。
【０００７】
そこで、本発明の目的は、前記従来技術の有する問題点を解消し、脈動の低減とともに透過音に対しても有効に低減することができるようにしたフューエルデリバリパイプを提供することにある。
【０００８】
【課題を解決するための手段】
前記の目的を達成するために、請求項１に係る発明は、燃料供給系から燃料供給管を通して本体部内に圧送される燃料をインジェクタに分配供給するフューエルデリバリパイプにおいて、フューエルデリバリパイプの本体部の手前で前記燃料供給管を複数の分岐管に分岐させたことを特徴とするものである。
【０００９】
本発明によれば、分岐管が分岐する部分は、振動現象の伝播という観点からとらえると合流点となり、ここで第１分岐管と第２分岐管を伝播してくる振動が打ち消し合って振動エネルギーが減少し、脈動と透過音をともに低減することが可能となる。
【００１０】
本発明の好適な実施形態によれば、前記燃料供給管は、フューエルデリバリパイプの前記本体部の直前位置に配置される継手を介して２本の分岐管に分岐し、前記本体部の異なる面にそれぞれ供給口を有すること特徴としている。
【００１１】
また、前記分岐管の一つは、フューエルデリバリパイプの本体部を構成する面のうちでもっとも広い面積をもつ面に供給口を有することが好ましい。
【００１２】
【発明の実施の形態】
以下、本発明によるフューエルデリバリパイプの一実施形態について、添付の図面を参照しながら説明する。
図１は、本発明によるフューエルデリバリパイプの一実施形態を示す正面図である。参照符号１０は、フューエルデリバリパイプの本体部を示し、１２は燃料供給管で、これらがリターンレスシステムの燃料供給装置を構成している。図示しない燃料タンクの燃料は、ポンプから圧送されて燃料供給管１２を通ってフューエルデリバリパイプの本体部１０内部に導入されるようになっている。Ｖ形６気筒のエンジンである場合、２つの本体部１０が並列に配置される。
【００１３】
フューエルデリバリパイプの本体部１０は細長い箱状の容器からなり、この実施形態では、アッパーケース１０ａとロアーケース１０ｂとをロー付けにより接合してなるものである。ロアーケース１０ｂには、取付用ブラケット１１が２箇所に取り付けられている。なお、フューエルデリバリパイプの本体部１０は、金属パイプを素材に加工してなる一体構造としてもよい。
【００１４】
ロアーケース１０ｂの底面には、燃料供給口が３箇所に形成され、これらの燃料供給口には、インジェクタを取り付けるためにインジェクタカップ１７が固着されている。このインジェクタカップ１７は、ロアーケース１０ｂの長さ方向の中心線上で所定の間隔で配列して取り付けられており、それぞれインジェクタカップ１７には、インジェクタを圧入することにより装着することができる。
【００１５】
フューエルデリバリパイプの本体部１０の直上流位置には、三方継手２０が配置されており、燃料供給管１２は、フューエルデリバリパイプの本体部１０の単体毎に、この三方継手２０によって２本の第１の分岐管２１ａと第２の分岐管２１ｂに分岐するようになっている。Ｖ形６気筒のエンジンであれば、２つ用いられる本体部１０それぞれが三方継手２０を介して分岐する第１分岐管２１ａと第２分岐管２１ｂを有している。
【００１６】
フューエルデリバリパイプの本体部１０の端部の側面には、第１の分岐管２１ａの端末が接続される接続孔２２ａが形成されている。また、本体部１０の上面、底面、前後、左右側面のうち、最も面積の広い上面のほぼ中央位置には、第２分岐管２１ｂの端末が接続される接続孔２２ｂが形成されている。このようにして、第１分岐管２１ａと第２分岐管２１ｂは、フューエルデリバリパイプの本体部１０の異なる面が燃料の供給口をもつように分岐されている。
【００１７】
本実施形態のフューエルデリバリパイプは、以上のように構成されるものであり、次に、その作用並びに効果について説明する。
エンジンが運転されている間は、燃料供給管１２を通って燃料ポンプから送られてくる燃料は、三方継手２０から分岐する第１分岐管２１ａと第２分岐管２１ｂに分流してフューエルデリバリパイプの本体部１０に導入される。フューエルデリバリパイプの本体部１０の内部から各インジェクタに燃料が分配供給される。
【００１８】
そして、各インジェクタが所定の噴射順序で周期的に開閉動作を繰り返す過程では、インジェクタが開いて燃料を噴射するときには、本体部１０内部の燃料圧力が低下し、インジェクタが閉じると本体部内の燃料圧力が急激に上昇する。このようなインジェクタの燃料噴射の周期的な繰り返しによって生じる本体部１０内部の圧力変動は振動現象で、これによって圧力の観点からは脈動が発生し、音としてとらえると本体部１０を透過した音が外部に騒音として伝わる。
【００１９】
本実施形態によるフューエルデリバリパイプによれば、本体部１０の手前で燃料供給管１２を第１分岐管２１ａと第２分岐管２１ｂに分岐している構造では、燃料の導入という観点からみれば三方継手２０は燃料供給管路の分岐点であるが、振動現象の伝播という観点からとらえると合流点となり、ここで第１分岐管２１ａと第２分岐管２１ｂを伝播してくる振動が打ち消し合って振動エネルギーが減少し、脈動と透過音をともに低減することが可能となる。
【００２０】
また、本実施形態のように、供給口の一方が本体部１０のうち各面のうち最も広い面積の上面にあるように第２分岐管２１ａを引き回すことにより、この供給口を脈動を減衰させるオリフィスとして機能させることができる。供給口の断面積ａと上面の面積Ａの比、すなわち、オリフィス比（Ａ／ａ）を大きくできるので、そのオリフィス効果を増大せしめ、上記の合流点での打ち消し合いとともに第２供給管２１ｂを伝わる脈動の伝播を抑制する。
【００２１】
ここで、図２は、６気筒のエンジンを搭載した実車でアイドル時（７５０ｒｐｍ）の透過音の測定データを周波数分析した結果を示す。細い線は、図６に示した従来のフューエルデリバリパイプの透過音を測定した結果を示し、太い線が実施例のフューエルデリバリパイプの測定結果を示す。本体部そのものの材質、構造は、両者とも同一である。
【００２２】
図２から明かなように、８００Ｈｚ〜１２００Ｈｚの周波数範囲の音が低減している。人間が音として感じる範囲は、２０Ｈｚ〜２０００Ｈｚであると言われる。自動車には様々な騒音音の起振源があり、騒音の種類によって周波数の範囲が決まってくる。インジェクタの噴射動作の繰り返しに起因する音の周波数範囲は、上記の８００Ｈｚ〜１２００Ｈｚの周波数範囲と重なっているので、燃料供給管を分岐させることにより透過音の低減効果が得られることがわかる。
【００２３】
次に、透過音の場合と同じ条件下で脈動の波形について測定した結果を図３に示す。このうち、図３（ａ）が実施例の測定結果で、図３（ｂ）が従来例の測定結果である。燃料供給管を分岐させるだけで、脈動の振幅を１０％〜２０％程度低減することができた。
【００２４】
以上、本発明のフューエルデリバリパイプについて、好適な実施形態を挙げて説明したが、本発明における燃料供給管の分岐の態様としては、例えば、図４に示すように、インジェクタの数に対応するように、第２分岐管２１ｂからさらに三方継手２３を介して第３分岐管２１ｃを分岐させるようにすることも可能である。
【００２５】
【発明の効果】
以上の説明から明らかなように、本発明によれば、フューエルデリバリパイプの本体部単体について、燃料供給管を前記本体部の手前で複数の分岐管路に分岐させることにより、脈動の低減とともに透過音に対しても有効に低減することができる。
【図面の簡単な説明】
【図１】本発明の一実施形態によるフューエルデリバリパイプを示す正面図。
【図２】同フューエルデリバリパイプにおける透過音の測定結果を示すグラフ。
【図３】同フューエルデリバリパイプにおける脈動の測定結果を示すグラフ。
【図４】本発明の一実施形態の変形例によるフューエルデリバリパイプを示す正面図。
【図５】フューエルデリバリパイプの従来例を示す正面図。
【図６】フューエルデリバリパイプの他の従来例を示す正面図。
【符号の説明】
１０　フューエルデリバリパイプの本体部
１０ａ　アッパーケース
１０ｂ　ロアーケース
１２　燃料供給管
１７　インジェクタカップ
２０　三方継手
２１ａ　第１分岐管
２１ｂ　第２分岐管
【図１】
2004144004.tif 000003
【図２】
2004144004.tif 000004
【図３】
2004144004.tif 000005
【図４】
2004144004.tif 000006
【図５】
2004144004.tif 000007
【図６】
2004144004.tif 000008